(57)【要約】【課題】レンチキュラシートの組付構造及びその利用方法を提供する。【解決手段】レンチキュラレンズを並べたレンチキュラシート４を用いるレンチキュラシート４の組付構造であって、レンチキュラシート４を筒状に湾曲して両側の側辺部７を接続手段により接続し、レンチキュラシート４の筒状の曲面を構成する。【選択図】図２
2006301061.tif 000002
【特許請求の範囲】
【請求項１】
レンチキュラレンズを並べたレンチキュラシートを用いるレンチキュラシートの組付構造であって、前記レンチキュラシートを筒状に湾曲して両側の側辺部を接続手段により接続し、レンチキュラシートの筒状の曲面を構成したことを特徴とするレンチキュラシートの組付構造。
【請求項２】
レンチキュラシートの接続手段は、レンチキュラシートの一側に形成された切込部と、該切込部に挿入し得るようレンチキュラシートの他側に形成された差込部とを備えたことを特徴とする請求項１に記載のレンチキュラシートの組付構造。
【請求項３】
レンチキュラシートの接続手段は、差込部に形成された取付口と、該取付口に挿入し得るよう切込部に形成された係止部とを備えたことを特徴とする請求項２に記載のレンチキュラシートの組付構造。
【請求項４】
組み付ける前のレンチキュラシートを扇型に形成したことを特徴とする請求項１〜３のいずれかに記載のレンチキュラシートの組付構造。
【請求項５】
請求項１〜請求項４に記載のレンチキュラシートの組付構造により筒状に形成したレンチキュラシートを、カップの外周に被せて使用することを特徴とするレンチキュラシートの利用方法。
【請求項６】
請求項４に記載のレンチキュラシートの組付構造によりレンチキュラシートを他のレンチキュラシートに接続し、環状、円弧、波型のいずれかの形状にすることを特徴とするレンチキュラシートの利用方法。
【請求項７】
請求項４に記載のレンチキュラシートの組付構造によりレンチキュラシートを他のレンチキュラシートに接続し、ゲーム盤面、帽子、装飾品を構成し得ることを特徴とするレンチキュラシートの利用方法。 
【発明の詳細な説明】
【技術分野】
【０００１】
本発明は、レンチキュラシートの組付構造及びその利用方法に関するものである。
【背景技術】
【０００２】
一般に、図１０〜図１２に示す如く、半円柱状のレンチキュラレンズ１を多数並べたレンチキュラシート２は、裏面に所定の画像を印刷又は貼付することにより、見る角度を変えると画像が直ちに他の画像へ切り換わるチェインジング、見る角度を変えると画像が徐々に他の画像へ変化するモーフィング、見る角度を変えると画像が移動して変化するムービング、見る角度を変えると画像が拡大又は縮小するズーム、左右の目の視差により立体感を演出する３Ｄの少なくとも１つの視覚効果を有する画像印刷物を作成することが可能となる。
【０００３】
ここで、チェインジング、モーフィング、ムーンビング、ズーム、３Ｄの視覚効果を有するレンチキュラシート２の画像印刷物は、レンチキュラレンズ１の形状により裏側の平滑面の焦点を結び、挿入された複数の画像のうち、一つのレンズ視覚角度で一つの画像を見せることにより、見る角度を変えると種々の視覚効果を生じるようになっている。なお、図１２中、３は目の位置を示している。
【０００４】
このような画像印刷物のレンチキュラシート２は、平面位置に配置されることにより様々に利用されている（例えば、特許文献１、２参照）。
【特許文献１】特開平１０−３２７９２５号公報
【特許文献２】実用新案登録第３０９１１７６号公報
【発明の開示】
【発明が解決しようとする課題】
【０００５】
しかしながら、このようなレンチキュラシート２を平面位置に配置した際には、チェインジング等の画像の変化を起こす角度が一定の視野範囲内に制限されるため、視覚効果を十分に生かすことができないという問題があった。又、レンチキュラシート２を他の用途に好適に利用することができないという問題があった。
【０００６】
本発明は、上述の実情に鑑み、レンチキュラシートの視覚効果を向上させるレンチキュラシートの組付構造及びその利用方法を提供することを目的とするものである。
【課題を解決するための手段】
【０００７】
本発明は、レンチキュラレンズを並べたレンチキュラシートを用いるレンチキュラシートの組付構造であって、前記レンチキュラシートを筒状に湾曲して両側の側辺部を接続手段により接続し、レンチキュラシートの筒状の曲面を構成したことを特徴とするレンチキュラシートの組付構造、にかかるものである。
【０００８】
本発明において、レンチキュラシートの接続手段は、レンチキュラシートの一側に形成された切込部と、該切込部に挿入し得るようレンチキュラシートの他側に形成された差込部とを備えることが好ましい。
【０００９】
本発明において、レンチキュラシートの接続手段は、差込部に形成された取付口と、該取付口に挿入し得るよう切込部に形成された係止部とを備えることが好ましい。
【００１０】
本発明は、組み付ける前のレンチキュラシートを扇型に形成することが好ましい。
【００１１】
本発明は、上記のレンチキュラシートの組付構造により筒状に形成したレンチキュラシートを、カップの外周に被せて使用することを特徴とするレンチキュラシートの利用方法、にかかるものである。
【００１２】
本発明は、上記のレンチキュラシートの組付構造によりレンチキュラシートを他のレンチキュラシートに接続し、環状、円弧、波型のいずれかの形状にすることを特徴とするレンチキュラシートの利用方法、にかかるものである。
【００１３】
本発明は、上記のレンチキュラシートの組付構造によりレンチキュラシートを他のレンチキュラシートに接続し、ゲーム盤面、帽子、装飾品（壁飾り等）を構成し得ることを特徴とするレンチキュラシートの利用方法、にかかるものである。
【００１４】
このように、本発明のレンチキュラシートの組付構造によれば、レンチキュラシートの筒状の曲面を構成するので、画像の変化を起こす角度がレンチキュラシートの筒状の周方向に沿って拡大し、結果的に、平面の場合に比較して視覚効果を十分に活用し、美観を向上させることができる。
【００１５】
本発明において、レンチキュラシートの接続手段は、レンチキュラシートの一側に形成された切込部と、該切込部に挿入し得るようレンチキュラシートの他側に形成された差込部とを備えると、両側の側辺部を接続してレンチキュラシートに筒状の曲面を容易に形成し得るので、画像の変化を起こす角度がレンチキュラシートの筒状の周方向に沿って簡易に拡大し、視覚効果を十分に活用して美観を向上させることができる。
【００１６】
本発明において、レンチキュラシートの接続手段は、差込部に形成された取付口と、該取付口に挿入し得るよう切込部に形成された係止部とを備えると、係止部により切込部と差込部の挿入状態を係止するので、筒状の曲面を形成する形状を保持し、視覚効果を安定的に維持して美観を向上させることができる。
【００１７】
本発明は、組み付ける前のレンチキュラシートを扇型に形成すると、レンチキュラシートを湾曲して筒状にした際には、一方の開放面を他方の開放面より大きくする筒状に構成するので、画像の変化を起こす角度がレンチキュラシートの筒状の周方向に沿って容易に拡大し、視覚効果を十分に活用して美観を向上させることができる。
【００１８】
本発明のレンチキュラシートの利用方法によれば、レンチキュラシートの組付構造により筒状に形成したレンチキュラシートを、カップの外周に被せて使用すると、レンチキュラシートを利用してカップの美観を向上させることができる。又、レンチキュラシートからカップを外して交換し得るので、レンチキュラシートを用いたカップを衛生的に保つことができる。更に、筒状に形成したレンチキュラシートにより使用の汎用性を高めるので、レンチキュラシート及びカップの製造コストを低減することができる。
【００１９】
本発明のレンチキュラシートの利用方法によれば、レンチキュラシートの組付構造によりレンチキュラシートを他のレンチキュラシートに接続し、環状、円弧、波型のいずれかの形状にすると、レンチキュラシートの画像と共に、レンチキュラシート自体の組み合わせを表現し得るので、美観を一層向上させることができる。
【００２０】
本発明のレンチキュラシートの利用方法によれば、レンチキュラシートの組付構造によりレンチキュラシートを他のレンチキュラシートに接続し、ゲーム盤面、帽子、装飾品（壁飾り等）を構成し得ると、レンチキュラシートの画像と共に、ゲーム、帽子、装飾品（壁飾り等）として使用し得るので、他の用途での使用と同時に美観を高めることができる。
【発明の効果】
【００２１】
以上説明したように、本発明のレンチキュラシートの組付構造及びその利用方法によれば、レンチキュラシートの筒状の曲面によりレンチキュラシートの視覚効果を向上させることができるという優れた効果を奏し得る。
【発明を実施するための最良の形態】
【００２２】
以下、本発明の実施の形態を図面に基いて説明する。
【００２３】
図１〜図９は、本発明のレンチキュラシートの組付構造及びその利用方法を実施する形態例である。
【００２４】
本形態例は、レンチキュラレンズ１を表面に備えると共に画像面（図示せず）を裏面に備えたレンチキュラシート４を、図１に示す如く、上辺の円弧部５、下辺の円弧部６、両側の側辺部７，７を有するよう扇型に形成している。ここで、レンチキュラレンズ１の延在方向は特に限定されるものではないが、両側の側辺部７，７に沿うように形成されることが好ましい。
【００２５】
レンチキュラシート４の側辺部７の一方には、側端に沿うよう、所定長さの切込線により形成された二つの切込部（接続手段）８を備え、切込部８の中央位置には、切込線を矩形に屈曲して形成された係止部（接続手段）９を備えている。
【００２６】
又、レンチキュラシート４の側辺部７の他方には、二つの切込部８に対応するよう、側端より外方へ突出する二つの突状の差込部（接続手段）１０を備え、差込部１０の中央位置には、係止部９に対応する台形の取付口（接続手段）１１を備えている。
【００２７】
扇型のレンチキュラシート４を組み付ける際には、図２、図３に示す如く、上辺の円弧部５及び下方の円弧部６を曲げるよう、レンチキュラレンズ１の表面を外方に向けて全体を湾曲し、図４に示す如く差込部１０を切込部８に挿入し、図５に示す如く切込部８の係止部９を差込部１０の取付口１１に挿入して係合し、図６に示す如く一方の開放面１２を他方の開放面１３より大きくするよう、外周面をレンチキュラシート４の曲面として筒状のコーン形体を構成する。
【００２８】
レンチキュラシート４を筒状に形成した際には、図７、図８に示す如く、筒状のレンチキュラシート４を、紙やプラスチック等のカップ１４に下方より被せ、カップ１４の美観を向上させる。ここで、筒状のレンチキュラシート４の大きな開放面（上側）１２は、内径を、カップ１４の上方中途位置の径より小さくすることにより、筒状のレンチキュラシート４をカップ１４に被せた際には、筒状のレンチキュラシート４が図８に示す如くカップ１４の外径に係止するように構成することが好ましい。又、カップ１４の上部中途位置に段状の係止部９を形成して筒状のレンチキュラシート４の上端を当接して係止させるようにしても良い。更に、筒状のレンチキュラシート４の高さ方向（幅方向）を、カップ１４の高さより小さくし、カップ１４の上方及び下方を筒状のレンチキュラシート４から露出させ、カップ１４の取外・交換を容易にすることが好ましい。更に又、筒状のレンチキュラシート４をカップ１４に被せた際には、レンチキュラレンズ１の延在方向をカップ１４の高さ方向に合わせて、レンチキュラレンズ１の並び方向をカップ１４の周方向に沿うように配置することが好ましい。
【００２９】
筒状のレンチキュラシート４をカップ１４に被せて使用した後には、カップ１４を取り外して筒状のレンチキュラシート４のみにし、次に、係止部９と取付口１１の係合、及び差込部１０と切込部８の挿入を外すことにより、レンチキュラシート４を組み付け前の扇型の形状に戻す。
【００３０】
扇型の形状に戻した場合には、複数のレンチキュラシート４を集めることにより、レンチキュラシート４を他のレンチキュラシート４に接続手段を介して接続し、環状、円弧、波型のいずれかの形状を作成し、壁飾り等の装飾品として利用する。なお、図９は、レンチキュラシート４を複数組み合わせ、環状に形成したものを示している。
【００３１】
又、一枚のレンチキュラシート４の画像にゲーム盤面の一部やデザインの一部を予め作成しておき、複数のレンチキュラシート４を集め、レンチキュラシート４を他のレンチキュラシート４に接続手段を介して接続し、ゲーム盤面、壁飾り等の一つのデザインを構成するようにしても良い。
【００３２】
更に、複数のレンチキュラシート４を集め、レンチキュラシート４を他のレンチキュラシート４に接続手段を介して接続し、環状に組み合せることにより、ツバの部分のみからなる帽子を構成しても良い。
【００３３】
このように、本形態例によれば、レンチキュラシート４の筒状の曲面を構成するので、チェインジング等の画像の変化を起こす角度がレンチキュラシート４の筒状の周方向に沿って拡大し、結果的に、平面の場合に比較して視覚効果を十分に活用し、美観を向上させることができる。
【００３４】
本形態例において、レンチキュラシート４の接続手段は、レンチキュラシート４の一側に形成された切込部８と、該切込部８に挿入し得るようレンチキュラシート４の他側に形成された差込部１０とを備えると、両側の側辺部７を接続してレンチキュラシート４に筒状の曲面を容易に形成し得るので、チェインジング等の画像の変化を起こす角度がレンチキュラシート４の筒状の周方向に沿って簡易に拡大し、視覚効果を十分に活用して美観を向上させることができる。
【００３５】
本形態例において、レンチキュラシート４の接続手段は、差込部１０に形成された取付口１１と、該取付口１１に挿入し得るよう切込部８に形成された係止部９とを備えると、係止部９により切込部８と差込部１０の挿入状態を係止するので、筒状の曲面を形成する形状を保持し、視覚効果を安定的に維持して美観を向上させることができる。
【００３６】
本形態例は、組み付ける前のレンチキュラシート４を扇型に形成すると、レンチキュラシート４を湾曲して筒状にした際には、一方の開放面１２を他方の開放面１３より大きくする筒状のコーン形体に構成するので、画像の変化を起こす角度がレンチキュラシート４の筒状の周方向に沿って容易に拡大し、視覚効果を十分に活用して美観を向上させることができる。
【００３７】
本形態例において、レンチキュラシート４の組付構造により筒状に形成したレンチキュラシート４を、カップ１４の外周に被せて使用すると、レンチキュラシート４を利用してカップ１４の美観を向上させることができる。又、レンチキュラシート４からカップ１４を外して交換し得るので、レンチキュラシート４を用いたカップ１４を衛生的に保つことができる。更に、筒状に形成したレンチキュラシート４により使用の汎用性を高めるので、レンチキュラシート４及びカップ１４の製造コストを低減することができる。
【００３８】
本形態例において、レンチキュラシート４の組付構造によりレンチキュラシート４を他のレンチキュラシート４に接続し、環状、円弧、波型のいずれかの形状にすると、レンチキュラシート４の画像と共に、レンチキュラシート４自体の組み合わせを表現し得るので、美観を一層向上させることができる。
【００３９】
本形態例において、レンチキュラシート４の組付構造によりレンチキュラシート４を他のレンチキュラシート４に接続し、ゲーム盤面、帽子、装飾品（壁飾り等）を構成し得ると、レンチキュラシート４の画像と共に、ゲーム、帽子、装飾品（壁飾り等）として使用し得るので、他の用途での使用と同時に美観を高めることができる。
【００４０】
なお、本発明は、上述の実施の形態にのみ限定されるものではなく、レンチキュラシートの接続手段は他の構造にしても良いこと、筒状のレンチキュラシートをカップに利用する際にはレンチキュラシートに取っ手を取り付けても良いこと、その他、本発明の要旨を逸脱しない範囲内において種々変更を加え得ることは勿論である。
【図面の簡単な説明】
【００４１】
【図１】本発明のレンチキュラシートの組付構造における組付前のレンチキュラシートの形状を示す平面図である。
【図２】本発明のレンチキュラシートの組付構造においてレンチキュラシートを組み付ける直前の状態を示す斜視図である。
【図３】本発明のレンチキュラシートの組付構造において切込部に差込部を挿入する直前の状態を示す断面図である。
【図４】本発明のレンチキュラシートの組付構造において切込部に差込部を挿入した状態を示す断面図である。
【図５】本発明のレンチキュラシートの組付構造において差込部の取付口に切込部の係止部を係止した状態を示す断面図である。
【図６】本発明のレンチキュラシートの組付構造においてレンチキュラシートを組み付けて筒状にした状態を示す正面図である。
【図７】本発明のレンチキュラシートの利用方法において筒状のレンチキュラシートをカップに被せる直前の状態を示す斜視図である。
【図８】本発明のレンチキュラシートの利用方法において筒状のレンチキュラシートをカップに被せた状態を示す斜視図である。
【図９】本発明のレンチキュラシートの利用方法においてレンチキュラシートを環状にした状態を示す平面図である。
【図１０】レンチキュラレンズの基本的な構造を示す斜視図である。
【図１１】レンチキュラレンズの基本的な集光特性を説明する概念図である。
【図１２】レンチキュラシートを用いた画像印刷物の視覚効果を説明する概念図である。
【符号の説明】
【００４２】
１  レンチキュラレンズ
４  レンチキュラシート
７  側辺部
８  切込部
９  係止部
１０  差込部
１１  取付口
１４  カップ
【図１】
2006301061.tif 000003
【図２】
2006301061.tif 000004
【図３】
2006301061.tif 000005
【図４】
2006301061.tif 000006
【図５】
2006301061.tif 000007
【図６】
2006301061.tif 000008
【図７】
2006301061.tif 000009
【図８】
2006301061.tif 000010
【図９】
2006301061.tif 000011
【図１０】
2006301061.tif 000012
【図１１】
2006301061.tif 000013
【図１２】
2006301061.tif 000014